(57)【要約】【課題】目視以外のより確実な手段によりクリップが適正に装着されているか否かを確認することができて、クリップが未係合状態のまま製品として流れてしまう懸念を払拭することのできる電線カバー付きコネクタを提供する。【解決手段】コネクタハウジング１０と、コネクタハウジング１０の後部に装着される電線カバー３０と、電線カバー３０の装着に先立ってコネクタハウジング１０の下面に後方から前方にスライドして装着されるクリップ７０とを備え、電線カバー３０に、クリップ７０がコネクタハウジング１０と適正係合する位置まで未到達の状態にあるとき、クリップ７０と干渉することで電線カバー３０のコネクタハウジング１０への装着を不可能とする未係合検出部５０を設けた。未係合検出部５０は、電線カバー３０をコネクタハウジング１０に装着したとき、クリップ７０の後方を遮蔽することでクリップ７０の後方への移動を規制する。【選択図】図９
2013140673.tif 000002
【特許請求の範囲】
【請求項１】
後方に電線が延びた複数の端子を収容するコネクタハウジングと、
該コネクタハウジングの後部に装着され、前記コネクタハウジングの後部から引き出された前記電線を保護しつつ所定の方向へ案内して導き出す電線カバーと、
前記電線カバーの装着に先立って前記コネクタハウジングの下面に着脱自在に装着され、パネルの取付孔に係合することで前記コネクタハウジングを前記パネルに固定するクリップと、
を備えた電線カバー付きコネクタであって、
前記電線カバーに、先に前記コネクタハウジングに装着した前記クリップが前記コネクタハウジングと適正係合する位置まで未到達の状態にあるとき、未到達の位置にある前記クリップと干渉することで前記電線カバーの前記コネクタハウジングへの装着を不可能とし、前記クリップが前記コネクタハウジングと適正係合する位置まで到達した状態にあるとき、前記クリップと非干渉となることで前記電線カバーの前記コネクタハウジングへの装着を可能とする未係合検出部が設けられていることを特徴とする電線カバー付きコネクタ。
【請求項２】
前記クリップが、前記コネクタハウジングに対して後方から前方にスライドすることで前記コネクタハウジングに対して係合可能とされ、
前記電線カバーが、前記クリップのスライド方向と交差する左右方向に移動することで前記コネクタハウジングに対して装着可能とされ、
前記未係合検出部は、
前記クリップが前記コネクタハウジングと適正係合する位置まで未到達の状態にあるとき、適正係合時の位置よりも後方へ突き出した前記クリップの後部に干渉することで前記電線カバーの前記コネクタハウジングへの装着を不可能とし、
前記クリップが前記コネクタハウジングと適正係合する位置まで到達した状態にあるとき、前記クリップと非干渉となることで前記電線カバーの前記コネクタハウジングへの装着を可能とし、
且つ、前記電線カバーを前記コネクタハウジングに装着したとき、前記未係合検出部が、前記クリップの後方を遮蔽することで前記クリップの後方への移動を規制することを特徴とする請求項１に記載の電線カバー付きコネクタ。
【請求項３】
前記電線カバーが、先に前記コネクタハウジングに仮装着される本体カバーと、後から前記本体カバーと合体されることで前記電線カバーを前記コネクタハウジングに前後方向移動不能に本装着する蓋体カバーと、に二分割され、
前記本体カバーに前記未係合検知部が設けられていることを特徴とする請求項１又は２に記載の電線カバー付きコネクタ。
【請求項４】
前記本体カバーの一端と前記蓋体カバーの一端とがヒンジを介して回動自在に連結され、前記本体カバーの他端と前記蓋体カバーの他端とに、前記本体カバーと前記蓋体カバーの合体時に互いにロックするロック部が設けられていることを特徴とする請求項１〜３のいずれか一項に記載の電線カバー付きコネクタ。
【発明の詳細な説明】
【技術分野】
【０００１】
本発明は、電線カバー付きコネクタに関するものである。
【背景技術】
【０００２】
この種の電線カバー付きコネクタは、例えば、コネクタの取付位置によりその後面側に十分な配線スペースが確保できず、そのためにコネクタハウジングの後面の直後で電線を屈曲配線する必要がある場合や、コネクタハウジングの後面側を電線カバーで簡易防水する場合等に利用されており、従来その例として、特許文献１や特許文献２に記載されたものが知られている。
【０００３】
この電線カバー付きコネクタは、電線の端末に固着された端子金具が後面側から挿入されるコネクタハウジングと、このコネクタハウジングの後端部に装着される二つ割りの電線カバーとから構成されており、コネクタハウジングの後部から引き出された電線を、電線カバー内を通して直角に屈曲した方向に導出するようになっている。
【０００４】
ここで、上記従来例における電線カバー付きコネクタでは、各分割カバーにおけるコネクタハウジングへの取付側の端部に、コネクタハウジングの後端部の外周に位置決めされて嵌まる半割りの嵌合筒が設けられる一方、各分割カバーの突き合わせ端縁に互いにロックするロック部が設けられた構成となっている。そして、両分割カバーを合わせてロックして初めて、電線カバー自体がコネクタハウジングの後端部に取り付けられるようになっている。
【０００５】
また、特許文献３には、コネクタハウジングにクリップを着脱可能に装着し、そのクリップを用いてコネクタハウジングをパネルに固定できるようにしたコネクタが記載されている。
【先行技術文献】
【特許文献】
【０００６】
【特許文献１】特開２００４−１２７８１３号公報
【特許文献２】特開２００１−１４３８１２号公報
【特許文献３】特開２０１１−１５４９８４号公報
【０００７】
ところで、本出願人は、上記従来の電線カバー付きコネクタと類似のものとして、図１３〜図２０に示すように、コネクタハウジングにクリップを着脱自在に装着できるようにした電線カバー付きコネクタを考えた。
【０００８】
図１３は先行発明のコネクタハウジングにクリップを着脱自在に装着できるようにした電線カバー付きコネクタの分解斜視図、図１４はコネクタハウジングにクリップを装着しようとしている状態を示す断面図、図１５（ａ）はコネクタハウジングにクリップを装着した状態を示す断面図、図１５（ｂ）は正面図、図１６は同電線カバー付きコネクタの組立途中の状態を示す図で、コネクタハウジングの後部に電線カバーを装着しようとしている状態を示す平面図、図１７は同コネクタハウジングのカバー装着部に電線カバーの一方の分割体である本体カバーを仮装着した状態を示す平面図、図１８は図１７のＸＸ−ＸＸ矢視断面図、図１９は図１８の状態から蓋体カバーを回動させて、本体カバーに蓋体カバーを合体させてロックすることにより、電線カバーがコネクタハウジングに本装着された状態を示す図１８と同様の断面図、図２０（ａ）はコネクタハウジングにクリップを装着した際に、コネクタハウジングとクリップとが完全に係合していないときの状態を示す断面図、図２０（ｂ）は図２０（ａ）のＸＸＩＩｂ部の拡大図である。
【０００９】
この先行発明の電線カバー付きコネクタは、図１３に分解図を示すように、樹脂成形品よりなるコネクタハウジング１０と、パッキン材２１付きの電線Ｗの端末に接続された複数の端子２０と、コネクタハウジング１０の後部に装着される樹脂成形品よりなる電線カバー１３０と、電線カバー１３０の装着に先立ってコネクタハウジング１０の下面に後方から前方にスライドさせることにより装着される樹脂成形品よりなるクリップ７０と、から構成されている。クリップ７０は、電線カバー付きコネクタを車体パネル等に固定するためのものである。
【００１０】
コネクタハウジング１０の本体１０Ａの後部には電線引出部１１が突設され、電線引出部１１の後面に複数の端子収容室１２の入口が開口している。そして、各入口から端子収容室１２の内部に、後方から矢印Ａ１のように、電線Ｗの端末に取り付けた端子２０を挿入できるようになっている。また、そのように端子２０を挿入した際に、予め電線Ｗの外周に装着してある円筒状のパッキン材２１が、端子収容室１２の内周壁と電線Ｗとの隙間を封止するようになっている。端子２０をコネクタハウジング１０の各端子収容室１２に挿入すると、端子２０に接続された電線Ｗは、電線引出部１１から後方へ向けて引き出される。そして、これらの電線Ｗを保護しつつ所定の方向へ案内して導き出す目的で、コネクタハウジング１０の後部に電線カバー１３０が装着される。
【００１１】
この電線カバー１３０を装着するために、コネクタハウジング１０の後部には、電線引出部１１を包囲するように、断面楕円形（円形でもよい）のカバー装着部１３が設けられている。このカバー装着部１３の後端部には、電線カバー１３０の前後方向の位置規制のため、カバー装着部１３よりも径大の環状凸部１４が設けられている。また、コネクタハウジング１０の上面には、相手コネクタのハウジングと嵌合した際にロックするロックアーム１７と、ロックアーム保護枠１６とが設けられている。また、コネクタハウジング１０の下面には、クリップ７０をスライド係合するためのクリップ取付部１５が設けられている。
【００１２】
クリップ７０は、図示しないパネルの取付孔に、クリップ基体７１の下面に突設したアンカー部７２を挿入することによりパネルに固定されるものであり、クリップ基体７１の上面には、コネクタハウジング１０の下面のクリップ取付部１５に対して、矢印Ａ２のように後方から前方にスライドすることにより、クリップ取付部１５と係合するスライド係合部７３が設けられている。
【００１３】
スライド係合部７３は、前後方向に延在する一対の互いに平行なガイドレール７４、７４の間に、係止孔７５ａを有する片持平板状の係止アーム７５を設けたもので、係止アーム７５は、後端側がクリップ後端壁７６に連結されて前方に延びており、上下方向に撓み可能となっている。
【００１４】
一方、コネクタハウジング１０の下面のクリップ取付部１５は、図１４及び図１５に示すように、クリップ７０のガイドレール７４、７４がそれぞれ外面にスライドする互いに平行な断面Ｌ字形の一対のスライドレール１５ａを有している。両スライドレール１５ａの内側には、スライドレール１５ａが断面Ｌ字形であることにより、係止アーム７５の両側縁がスライド自在に嵌まるスライド溝１５ｂが確保されている。スライド溝１５ｂの後端は、係止アーム７５の両側縁を挿入できるように入口１５ｃとして開放されている。また、スライド溝１５ｂの前端は行き止まり壁１５ｄで閉じられており、係止アーム７５のそれ以上の前方への移動を規制している。また、両スライドレール１５ａの間のコネクタハウジング１０の下面には、係止アーム７５を撓ませながら係止孔７５ａと係合する係止突起１９が設けられている。
【００１５】
一方、電線カバー１３０は、先にコネクタハウジング１０の後部に装着される本体カバー３１と、後から本体カバー３１と合体されることで電線カバー１３０をコネクタハウジング１０に本装着する蓋体カバー３３と、に二分割されている。本体カバー３１と蓋体カバー３３は、一端同士が図２０に示すように、ヒンジ３２により回動自在（つまり開閉自在）に連結されている。
【００１６】
本体カバー３１と蓋体カバー３３には、本体カバー３１と蓋体カバー３３を合体したときに筒状をなしてコネクタハウジング１０のカバー装着部１３を挟み込み、それにより電線カバー１３０をコネクタハウジング１０に装着する半筒状の取付部３１Ａ、３３Ａと、コネクタハウジング１０の環状凸部１４を挟み込む半筒状の取付部３１Ｂ、３３Ｂがそれぞれ設けられている。前側の取付部３１Ａ、３３Ａは、カバー装着部１３と環状凸部１４の径寸法の関係に応じて、後側の取付部３１Ｂ、３３Ｂよりも内径が小さくなっており、前側の取付部３１Ａ、３３Ａがカバー装着部１３を挟み込むことにより、前側の取付部３１Ａ、３３Ａが環状凸部１４に当たることで、電線カバー１３０は後方に移動しないように規制される。
【００１７】
また、本体カバー３１には、コネクタハウジング１０の後部から引き出された電線Ｗを直角方向に曲げて誘導すると共に電線Ｗと共にテープを巻き付けることのできる電線誘導部３４が設けられている。
【００１８】
また、本体カバー３１のヒンジ３２と反対側の端部にはロック突起４１が設けられ、蓋体カバー３３のヒンジ３２と反対側の端部には、ロック突起４１の嵌まるロック孔４４を有したロックアーム４３が設けられている。本体カバー３１に蓋体カバー３３を合わせると、図１９に示すように、ロック突起４１にロックアーム４３が係合して、本体カバー３１と蓋体カバー３３とが合体状態に保持され、本体カバー３１の取付部３１Ａと蓋体カバー３３の取付部３３Ａとの間にコネクタハウジング１０のカバー装着部１３が挟まれる。それにより、電線カバー１３０がコネクタハウジング１０に本装着される。
【００１９】
この電線カバー付きコネクタを組み立てる場合は、まず、コネクタハウジング１０の各端子収容室１２に後端入口から、図１３中矢印Ａ１のように、電線Ｗの端末に接続した端子２０を挿入する。また、それと前後して、クリップ７０を図１３中矢印Ａ２のように後方から前方にスライドさせて、コネクタハウジング１０の底面に装着する。その際、図１４及び図１５に示すように、クリップ７０側の係止アーム７５の両側縁をコネクタハウジング１０側のクリップ取付部１５のスライドレール１５ａのスライド溝１５ｂに嵌めてスライドさせる。そうすると、適正位置まで係止アーム７５が進んだ段階で、係止アーム７５の係止孔７５ａに係止突起１９が係合し、クリップ７０が抜けないように固定される。
【００２０】
クリップ７０を装着すると共に全部の端子２０を挿入してコネクタを組み立てたら、コネクタハウジング１０の後部から後方へ引き出された電線Ｗを電線カバー１３０によって誘導しようとする方向へ曲げて癖付けしながら、図１６〜図１８に示すように、本体カバー３１の取付部３１Ａを、コネクタハウジング１０の後部のカバー装着部１３に、図１３の矢印Ａ３方向に移動して仮装着する。
【００２１】
次にその状態で、図１８の矢印Ｙ１で示すように蓋体カバー３３を回動させて、図１９に示すように蓋体カバー３３を本体カバー３１に合体させ、ロック突起４１とロックアーム４３をロックさせる。そして、最後に本体カバー３１に一体に設けた電線誘導部３４にテープを巻き付けることにより、電線Ｗを屈曲させた状態のままテープで固定し、こうすることにより電線カバー付きコネクタの組み立てが完了する。
【００２２】
ところで、クリップ７０は、コネクタハウジング１０の下面に設けたクリップ取付部１５で係止されることになるのであるが、確実に係止されているかどうかは目視で確認するのみであるから、中途挿入状態（つまり、係止アーム７５と係止突起１９が適正に係合されていない未係合状態）で組立完了としてしまう懸念がある。
【００２３】
即ち、クリップ７０の係止アーム７５は、クリップ取付部１５のスライド溝１５ｂ内において最後まで押し込むことで初めて、係止アーム７５の係止孔７５ａに係止突起１９が嵌まる適正係合状態になるのであるが、図２０に示すように、何らかの事情で最後まで係止アーム７５を押し込まずに、係止アーム７５が係止突起１９に乗り上げた状態で押し込み操作を止めてしまうことがあり得る。そうした場合、クリップ７０の位置が僅かにずれているのを目視で確認すれば不適正係合状態であることが判るが、微妙な位置ズレを目視で確認することは非常に難しく、見逃すおそれがある。見逃した場合、そのまま組立完了品として製品が流れてしまう懸念がある。
【発明の概要】
【発明が解決しようとする課題】
【００２４】
本発明は、上述した事情に鑑みてなされたものであり、その目的は、目視以外のより確実な手段によりクリップが適正に装着されているか否かを確認することができて、クリップが未係合状態のまま製品として流れてしまう懸念を払拭することのできる電線カバー付きコネクタを提供することにある。
【課題を解決するための手段】
【００２５】
本発明の上記目的は、下記の構成により達成される。
（１）  後方に電線が延びた複数の端子を収容するコネクタハウジングと、
該コネクタハウジングの後部に装着され、前記コネクタハウジングの後部から引き出された前記電線を保護しつつ所定の方向へ案内して導き出す電線カバーと、
前記電線カバーの装着に先立って前記コネクタハウジングの下面に着脱自在に装着され、パネルの取付孔に係合することで前記コネクタハウジングを前記パネルに固定するクリップと、
を備えた電線カバー付きコネクタであって、
前記電線カバーに、先に前記コネクタハウジングに装着した前記クリップが前記コネクタハウジングと適正係合する位置まで未到達の状態にあるとき、未到達の位置にある前記クリップと干渉することで前記電線カバーの前記コネクタハウジングへの装着を不可能とし、前記クリップが前記コネクタハウジングと適正係合する位置まで到達した状態にあるとき、前記クリップと非干渉となることで前記電線カバーの前記コネクタハウジングへの装着を可能とする未係合検出部が設けられていることを特徴とする電線カバー付きコネクタ。
【００２６】
（２）  前記クリップが、前記コネクタハウジングに対して後方から前方にスライドすることで前記コネクタハウジングに対して係合可能とされ、
前記電線カバーが、前記クリップのスライド方向と交差する左右方向に移動することで前記コネクタハウジングに対して装着可能とされ、
前記未係合検出部は、
前記クリップが前記コネクタハウジングと適正係合する位置まで未到達の状態にあるとき、適正係合時の位置よりも後方へ突き出した前記クリップの後部に干渉することで前記電線カバーの前記コネクタハウジングへの装着を不可能とし、
前記クリップが前記コネクタハウジングと適正係合する位置まで到達した状態にあるとき、前記クリップと非干渉となることで前記電線カバーの前記コネクタハウジングへの装着を可能とし、
且つ、前記電線カバーを前記コネクタハウジングに装着したとき、前記未係合検出部が、前記クリップの後方を遮蔽することで前記クリップの後方への移動を規制することを特徴とする上記（１）に記載の電線カバー付きコネクタ。
【００２７】
（３）  前記電線カバーが、先に前記コネクタハウジングに仮装着される本体カバーと、後から前記本体カバーと合体されることで前記電線カバーを前記コネクタハウジングに前後方向移動不能に本装着する蓋体カバーと、に二分割され、
前記本体カバーに前記未係合検知部が設けられていることを特徴とする上記（１）又は（２）に記載の電線カバー付きコネクタ。
【００２８】
（４）  前記本体カバーの一端と前記蓋体カバーの一端とがヒンジを介して回動自在に連結され、前記本体カバーの他端と前記蓋体カバーの他端とに、前記本体カバーと前記蓋体カバーの合体時に互いにロックするロック部が設けられていることを特徴とする上記（１）〜（３）のいずれかに記載の電線カバー付きコネクタ。
【００２９】
上記（１）の構成の電線カバー付きコネクタによれば、クリップが未係合状態にある場合は、電線カバーを装着することができないので、そのことをもって容易にクリップが未係合状態であることを知ることができ、改めてクリップを適正な係合状態にし直すことができる。従って、不適正な組立状態のまま製品が流れるのを防止することができる。
【００３０】
上記（２）の構成の電線カバー付きコネクタによれば、未係合検出部がクリップの後方を遮蔽するので、それにより、クリップの適正係合と共にクリップの抜けを二重に阻止することができる。
【００３１】
上記（３）の構成の電線カバー付きコネクタによれば、コネクタハウジングに対して先に仮装着する本体カバーに未係合検出部を設けているので、電線カバーの仮装着の段階で早めにクリップの未係合を検出することができる。
【００３２】
上記（４）の構成の電線カバー付きコネクタによれば、ヒンジを支点にして蓋体カバーを先に仮装着してある本体カバーに向けて回動させ、本体カバーと蓋体カバーのロック部を互いにロックさせることによって、本体カバーと蓋体カバーとを合体させることができ、その状態で電線カバーをコネクタハウジングに本装着することができる。
【発明の効果】
【００３３】
本発明によれば、電線カバーをコネクタハウジングに装着することができないことで、目視以外の容易確実な方法でクリップが未係合状態であることを知ることができる。従って、改めてクリップを適正な係合状態にし直すことで、不適正な組立状態のまま製品が流れる懸念を払拭することができる。
【００３４】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００３５】
【図１】本発明の実施形態の電線カバー付きコネクタの分解斜視図である。
【図２】同電線カバー付きコネクタに使用する電線カバーの構成図で、図２（ａ）は正面図、図２（ｂ）は側面図、図２（ｃ）は背面図である。
【図３】同電線カバー付きコネクタに使用するクリップの構成図で、図３（ａ）は上から見た斜視図、図３（ｂ）は下から見た斜視図、図３（ｃ）は図３（ｂ）のＩＩＩｂ矢視図である。
【図４】同電線カバー付きコネクタの組立途中の状態を示す図で、コネクタハウジングの後部に電線カバーを装着しようとしている状態を示す平面図である。
【図５】同コネクタハウジングのカバー装着部に電線カバーの一方の分割体である本体カバーを仮装着した状態を示す平面図である。
【図６】図５のＶＩＩＩ−ＶＩＩＩ矢視断面図である。
【図７】図６の状態から本体カバーに蓋体カバーを合体させてロックすることにより、電線カバーをコネクタハウジングに本装着した状態を示す図６と同様の断面図である。
【図８】図８（ａ）はコネクタハウジングにクリップを装着した際に、コネクタハウジングとクリップとが完全に係合していないときの状態（未係合状態）を示す断面図、図８（ｂ）は図８（ａ）のＸｂ部の拡大図である。
【図９】クリップが未係合状態のときに、電線カバーの本体カバーをコネクタハウジングのカバー装着部に装着しようとして、本体カバーに設けた未係合検出部がクリップの後部に干渉したときの状態を示す斜視図である。
【図１０】図９の状態を三方から見た図で、図１０（ａ）は側面図、図１０（ｂ）は正面図、図１０（ｃ）は背面図である。
【図１１】電線カバーに電線をテープ巻きしてワイヤーハーネスを構成した状態を示す斜視図である。
【図１２】電線カバーに電線をテープ巻きしてワイヤーハーネスを構成した状態を示す側面図である。
【図１３】先行発明のコネクタハウジングにクリップを着脱自在に装着できるようにした電線カバー付きコネクタの分解斜視図である。
【図１４】コネクタハウジングにクリップを装着しようとしている状態を示す断面図である。
【図１５】図１５（ａ）はコネクタハウジングにクリップを装着した状態を示す断面図、図１５（ｂ）は正面図である。
【図１６】同電線カバー付きコネクタの組立途中の状態を示す図で、コネクタハウジングの後部に電線カバーを装着しようとしている状態を示す平面図である。
【図１７】同コネクタハウジングのカバー装着部に電線カバーの一方の分割体である本体カバーを仮装着した状態を示す平面図である。
【図１８】図１７のＸＸ−ＸＸ矢視断面図である。
【図１９】図１８の状態から蓋体カバーを回動させて、本体カバーに蓋体カバーを合体させてロックすることにより、電線カバーがコネクタハウジングに本装着された状態を示す図１８と同様の断面図である。
【図２０】図２０（ａ）はコネクタハウジングにクリップを装着した際に、コネクタハウジングとクリップとが完全に係合していないときの状態を示す断面図、図２０（ｂ）は図２０（ａ）のＸＸＩＩｂ部の拡大図である。
【発明を実施するための形態】
【００３６】
以下、本発明の実施形態を図面を参照して説明する。
図１は実施形態の電線カバー付きコネクタの分解斜視図、図２は同電線カバー付きコネクタに使用する電線カバーの構成図で、図２（ａ）は正面図、図２（ｂ）は側面図、図２（ｃ）は背面図、図３は同電線カバー付きコネクタに使用するクリップの構成図で、図３（ａ）は上から見た斜視図、図３（ｂ）は下から見た斜視図、図３（ｃ）は図３（ｂ）のＩＩＩｂ矢視図である。なお、上記先行発明の、図１４に示すコネクタハウジングにクリップを装着しようとしている状態を示す断面図、及び図１５（ａ）に示すコネクタハウジングにクリップを装着した状態を示す断面図、図１５（ｂ）に示す正面図は、本実施形態においても同じであるので、本実施形態の説明においても図１４及び図１５（ａ）、図１５（ｂ）を適宜援用する。
【００３７】
また、図４は同電線カバー付きコネクタの組立途中の状態を示す図で、コネクタハウジングの後部に電線カバーを装着しようとしている状態を示す平面図、図５は同コネクタハウジングのカバー装着部に電線カバーの一方の分割体である本体カバーを仮装着した状態を示す平面図、図６は図５のＶＩＩＩ−ＶＩＩＩ矢視断面図、図７は図６の状態から本体カバーに蓋体カバーを合体させてロックすることにより、電線カバーをコネクタハウジングに本装着した状態を示す図８と同様の断面図、図８（ａ）はコネクタハウジングにクリップを装着した際に、コネクタハウジングとクリップとが完全に係合していないときの状態（未係合状態）を示す断面図、図８（ｂ）は図８（ａ）のＸｂ部の拡大図である。
【００３８】
また、図９はクリップが未係合状態のときに、電線カバーの本体カバーをコネクタハウジングのカバー装着部に装着しようとして、本体カバーに設けた未係合検出部がクリップの後部に干渉したときの状態を示す斜視図、図１０は図９の状態を三方から見た図で、図１０（ａ）は側面図、図１０（ｂ）は正面図、図１０（ｃ）は背面図、図１１は電線カバーに電線をテープ巻きしてワイヤーハーネスを構成した状態を示す斜視図、図１２は電線カバーに電線をテープ巻きしてワイヤーハーネスを構成した状態を示す側面図である。
【００３９】
この電線カバー付きコネクタは、図１に分解図を示すように、樹脂成形品よりなるコネクタハウジング１０と、円筒状のパッキン材２１付きの電線Ｗの端末に接続された複数の端子２０と、コネクタハウジング１０の後部に装着される樹脂成形品よりなる電線カバー３０と、電線カバー３０の装着に先立ってコネクタハウジング１０の下面に後方から前方にスライドさせることにより装着される樹脂成形品よりなるクリップ７０と、から構成されている。この実施形態の電線カバー付きコネクタが、先行発明の電線カバー付きコネクタと違う点は、電線カバー３０に未係合検出部５０という干渉用の壁部が設けられている点である。先の説明と多少重複するが、以下にこの実施形態の電線カバー付きコネクタについて詳細に説明する。
【００４０】
コネクタハウジング１０の本体１０Ａの後部には電線引出部１１が突設され、電線引出部１１の後面に複数の端子収容室１２の入口が開口している。そして、各入口から端子収容室１２の内部に、後方から矢印Ａ１のように、電線Ｗの端末に取り付けた端子２０を挿入できるようになっている。また、そのように端子２０を挿入した際に、予め電線Ｗの外周に装着してある円筒状のパッキン材２１が、端子収容室１２の内周壁と電線Ｗとの隙間を封止するようになっている。端子２０をコネクタハウジング１０の各端子収容室１２に挿入すると、端子２０に接続された電線Ｗは、電線引出部１１から後方へ向けて引き出される。そして、これらの電線Ｗを保護しつつ所定の方向へ案内して導き出す目的で、コネクタハウジング１０の後部に電線カバー３０が装着される。
【００４１】
この電線カバー３０を装着するために、コネクタハウジング１０の後部には、電線引出部１１を包囲するように、横方向（左右方向）に長軸を向け縦方向（上下方向）に短軸を向けた断面楕円形（円形でもよい）のカバー装着部１３が設けられている。このカバー装着部１３の後端部には、電線カバー１３０の前後方向の位置規制のため、カバー装着部１３よりも径大の環状凸部１４が設けられている。また、コネクタハウジング１０の上面には、相手コネクタのハウジングと嵌合した際にロックするロックアーム１７と、ロックアーム保護枠１６とが設けられている。また、コネクタハウジング１０の下面には、クリップ７０をスライド係合するためのクリップ取付部１５が設けられている。
【００４２】
クリップ７０は、図示しないパネルの取付孔に、クリップ基体７１の下面に突設したアンカー部７２を挿入することによりパネルに固定されるものであり、図３にも示すように、クリップ基体７１の上面には、コネクタハウジング１０の下面のクリップ取付部１５に対して、図１中矢印Ａ２のように後方から前方にスライドすることにより、クリップ取付部１５と係合するスライド係合部７３が設けられている。
【００４３】
スライド係合部７３は、前後方向に延在する一対の互いに平行なガイドレール７４、７４の間に、係止孔７５ａを有する片持平板状の係止アーム７５を設けたもので、係止アーム７５は、後端側がクリップ後端壁７６に連結されて前方に延びており、上下方向に撓み可能となっている。
【００４４】
アンカー部７２は、パネルの矩形状の取付孔に挿入されるもので、２本の柱部７７ｂと２本の柱部７７ｂの先端間に渡した梁部７７ａとを有する門型の挿入枠７７と、この門型の挿入枠７７の両側の開口面に設けた一対の係止羽根７８と、パネルの手前面に押し当たる押さえ羽根７９と、から構成されている。係止羽根７８は、梁部７７ａに基端が連結されて、先端がクリップ基体７１側に延びた片持梁として形成され、門型の挿入枠７７の開口面に垂直な方向に先端側が撓み可能となっており、係止羽根７８の先端側外面にパネルの取付孔の後縁に係止する係止段部７８ａを有している。
【００４５】
一方、コネクタハウジング１０の下面のクリップ取付部１５は、図１４及び図１５に示すように、クリップ７０のガイドレール７４、７４がそれぞれ外面にスライドする互いに平行な断面Ｌ字形の一対のスライドレール１５ａを有している。両スライドレール１５ａの内側には、スライドレール１５ａが断面Ｌ字形であることにより、係止アーム７５の両側縁がスライド自在に嵌まるスライド溝１５ｂが確保されている。スライド溝１５ｂの後端は、係止アーム７５の両側縁を挿入できるように入口１５ｃとして開放されている。また、スライド溝１５ｂの前端は行き止まり壁１５ｄで閉じられており、係止アーム７５のそれ以上の前方への移動を規制している。また、両スライドレール１５ａの間のコネクタハウジング１０の下面には、係止アーム７５を撓ませながら係止孔７５ａと係合する係止突起１９が設けられている。
【００４６】
また、電線カバー３０は、先にコネクタハウジング１０の後部に装着される本体カバー３１と、後から本体カバー３１と合体されることで電線カバー３０をコネクタハウジング１０に本装着する蓋体カバー３３と、に二分割されている。本体カバー３１と蓋体カバー３３は、一端同士が図８に示すように、ヒンジ３２により回動自在（つまり開閉自在）に連結されている。
【００４７】
本体カバー３１と蓋体カバー３３には、本体カバー３１と蓋体カバー３３を合体したときに筒状をなしてコネクタハウジング１０のカバー装着部１３を挟み込み、それにより電線カバー３０をコネクタハウジング１０に装着する半筒状の径小の取付部３１Ａ、３３Ａと、コネクタハウジング１０の環状凸部１４を挟み込む半筒状の径大な取付部３１Ｂ、３３Ｂがそれぞれ設けられており、取付部３１Ａ、３３Ａの一端側にそれぞれ連設した合わせ壁３８、３５がヒンジ３２により連結されている。
【００４８】
これらの合わせ壁３８、３５は、本体カバー３１と蓋体カバー３３を合体させた際に、図７に示すように互いに面合わせとなる壁であり、これら合わせ壁３８、３５に設けた係合フック３７と係合孔３６が、本体カバー３１と蓋体カバー３３の合体時に互いに係合することにより、ヒンジ３２による取付部３１Ａ、３３Ａの一端側の連結を補強するようになっている。
【００４９】
この場合、本体カバー３１側の取付部３１Ａと蓋体カバー３３側の取付部３３Ａは、断面楕円形のカバー装着部１３を包囲する筒体を半周ずつに等分割したものではなく、本体カバー３１側の取付部３１Ａの方が、蓋体カバー３３側の取付部３３Ａよりも、大きくなる割合で分割されている。
【００５０】
即ち、本体カバー３１側の取付部３１Ａは、断面Ｃ字状をなし、その両端が、該取付部３１Ａのカバー装着部１３に対する装着方向（左右方向）に直交する方向（上下方向）におけるカバー装着部１３の最大径部（つまり、断面楕円形のカバー装着部１３の短軸方向の最大寸法部）を越える位置まで延長されており、蓋体カバー３３側の取付部３３Ａは、本体カバー３１側の取付部３１Ａが長く延長されている分だけ短くなっている。
【００５１】
そして、本体カバー３１側の取付部３１Ａの上下の延長端には、図６に示すように、カバー装着部１３の外周に弾性的に仮係止することで、カバー装着部１３からの取付部３１Ａの脱落を阻止する仮係止部４８、４９が設けられている。ここで、上側の仮係止部４８は、可撓性の係止アームとなっている。
【００５２】
なお、前側の取付部３１Ａ、３３Ａは、カバー装着部１３と環状凸部１４の径寸法の関係に応じて、後側の取付部３１Ｂ、３３Ｂよりも内径が小さくなっており、前側の取付部３１Ａ、３３Ａがカバー装着部１３を挟み込むことにより、前側の取付部３１Ａ、３３Ａが環状凸部１４に当たることで、電線カバー１３０は後方に移動しないように規制される。
【００５３】
また、図２に示すように、本体カバー３１と蓋体カバー３３の取付部３１Ａ、３３Ａのコネクタハウジング１０側（前側）の側方には、コネクタハウジング１０の本体１０Ａの後端面に当接することで電線カバー３０を前後方向に位置決めする位置決め壁４５、４６が設けられている。本体カバー３１の位置決め壁４５には、本体カバー３１をコネクタハウジング１０のカバー装着部１３に仮装着した状態で、本体カバー３１にカバー装着部１３の外周に沿った回転力が作用した際にコネクタハウジング１０に突き当たることで回転規制する回転規制部４５ａ、４５ｂが設けられている。
【００５４】
また、本体カバー３１の取付部３１Ａと位置決め壁４５の間には、壁状のクリップ７０の未係合検出部５０が設けられている。この未係合検出部５０は、先にコネクタハウジング１０の底面に装着したクリップ７０がコネクタハウジング１０と適正係合する位置まで未到達の状態（図８〜図１０の状態）にあるとき、未到達の位置にあるクリップ７０と干渉することで本体カバー３１のコネクタハウジング１０への装着を不可能とし、クリップ７０がコネクタハウジング１０と適正係合する位置まで到達した状態（図１５の状態）にあるとき、クリップ７０と非干渉となることで本体カバー３１のコネクタハウジング１０への装着を可能とする干渉用の壁部である。
【００５５】
この場合、本体カバー３１は、クリップ７０のスライド方向である前後方向と交差する左右方向（矢印Ａ３方向）に移動することで、コネクタハウジング１０に対して装着するものであり、未係合検出部５０は、図８に示すように、クリップ７０がコネクタハウジング１０と適正係合する位置まで未到達の状態にあるとき、図９及び図１０に示すように、適正係合時の位置よりも後方へ突き出したクリップ７０の後部に干渉することで、本体カバー３１のコネクタハウジング１０への装着を不可能とする。また、クリップ７０がコネクタハウジング１０と適正係合する位置まで到達した状態にあるとき、クリップ７０と非干渉となることで本体カバー３１のコネクタハウジング１０への装着を可能とする。そして、図１１に示すように、電線カバー３０をコネクタハウジング１０に装着したとき、未係合検出部５０が、クリップ７０の後方を遮蔽することで、クリップ７０の後方への移動を規制する。
【００５６】
また、本体カバー３１には、コネクタハウジング１０の後部から引き出された電線Ｗを直角方向に曲げて誘導すると共に電線Ｗと共にテープＴ（図１１および図１２参照）を巻き付けることのできる電線誘導部３４が設けられている。
【００５７】
また、本体カバー３１のヒンジ３２と反対側の端部にはロック突起（ロック部）４１が設けられ、蓋体カバー３３のヒンジ３２と反対側の端部には、ロック突起４１の嵌まるロック孔４４を有したロックアーム（ロック部）４３が設けられている。本体カバー３１に蓋体カバー３３を合わせると、図９に示すように、ロック突起４１にロックアーム４３が係合して、本体カバー３１と蓋体カバー３３とが合体状態に保持され、本体カバー３１の取付部３１Ａと蓋体カバー３３の取付部３３Ａとの間にコネクタハウジング１０のカバー装着部１３が挟まれ、それにより、電線カバー３０がコネクタハウジング１０に本装着される。
【００５８】
この電線カバー付きコネクタを組み立てる場合は、まず、コネクタハウジング１０の各端子収容室１２に後端入口から、図１中矢印Ａ１のように、電線Ｗの端末に接続した端子２０を挿入する。また、それと前後して、クリップ７０を図１中矢印Ａ２のように後方から前方にスライドさせて、コネクタハウジング１０の底面に装着する。その際、図１４及び図１５に示すように、クリップ７０側の係止アーム７５の両側縁をコネクタハウジング１０側のクリップ取付部１５のスライドレール１５ａのスライド溝１５ｂに嵌めてスライドさせる。そうすると、適正位置まで係止アーム７５が進んだ段階で、係止アーム７５の係止孔７５ａに係止突起１９が係合し、クリップ７０が抜けないように固定される。
【００５９】
クリップ７０を装着すると共に全部の端子２０を挿入してコネクタを組み立てたら、コネクタハウジング１０の後部から後方へ引き出された電線Ｗを電線カバー１３０によって誘導しようとする方向へ曲げて癖付けしながら、図６及び図７に示すように、本体カバー３１の取付部３１Ａを、コネクタハウジング１０の後部のカバー装着部１３に、図１中矢印Ａ３の方向に移動して仮装着する。
【００６０】
次にその状態で、図６の矢印Ｙ１で示すように蓋体カバー３３を回動させて、図７に示すように蓋体カバー３３を本体カバー３１に合体させ、ロック突起４１とロックアーム４３をロックさせる。そして、図１１及び図１２に示すように、最後に本体カバー３１に一体に設けた電線誘導部３４にテープを巻き付けることにより、電線Ｗを屈曲させた状態のままテープで固定し、こうすることにより電線カバー付きコネクタの組み立てが完了する。
【００６１】
ところで、クリップ７０は、コネクタハウジング１０の下面に設けたクリップ取付部１５で係止されることになる。即ち、クリップ７０の係止アーム７５は、クリップ取付部１５のスライド溝１５ｂ内において最後まで押し込むことで初めて、係止アーム７５の係止孔７５ａに係止突起１９が嵌まる適正係合状態になる。
【００６２】
ところが、図８に示すように、何らかの事情で最後まで係止アーム７５を押し込まずに、係止アーム７５が係止突起１９に乗り上げた状態で押し込み操作を止めてしまうことがあり得る。そうした場合、この実施形態の電線カバー付きコネクタでは、次に電線カバー３０の本体カバー３１をコネクタハウジング１０の装着しようとした時点で気付くことができる。
【００６３】
即ち、クリップ７０が最後まで押し込まれていない場合は、図９及び図１０に示すように、クリップ７０の後端に本体カバー３１に設けた未係合検出部５０が当たることになり、それにより、本体カバー３１を装着側に移動できなくなり、装着することができなくなる。従って、そのことをもって容易にクリップ７０が未係合状態であることを知ることができる。従って、改めてクリップ７０を押し込んで適正な係合状態にし直すことができ、不適正な組立状態のまま製品が流れるのを防止することができる。
【００６４】
また、クリップ７０がコネクタハウジング１０に適正に係合されており、電線カバー３０が適正にコネクタハウジング１０に装着されている場合、図１１に示すように、電線カバー３０に設けた未係合検出部５０がクリップ７０の後方を遮蔽するので、それにより、クリップ７０の適正係合と共にクリップ７０の抜けを二重に阻止することができる。また、この実施形態では、コネクタハウジング１０に対して先に仮装着する本体カバー３１に未係合検出部５０を設けているので、電線カバー３０の仮装着の段階で早めにクリップ７０の未係合を検出することができ、対処を早めにすることができる。
【００６５】
また、このような組立作業の際、電線カバー３０の本体カバー３１の取付部３１Ａをカバー装着部１３の最大径部を越える位置まで延長し、その延長端にカバー装着部１３に対する仮係止部４８、４９を設けているので、本体カバー３１をコネクタハウジング１０に仮装着した状態での本体カバー３１の脱落を阻止することができる。
【００６６】
また、本体カバー３１に、コネクタハウジング１０に衝突することで本体カバー３１の回転を規制する回転規制部４５ａ、４５ｂを設けているので、蓋体カバー３３を本体カバー３１に合体させる際に本体カバー３１に回転力が作用した場合にも、本体カバー３１を回転しないように保持しておくことができる。従って、片方の手で本体カバー３１を回転しないように押さえながら、もう片方の手で蓋体カバー３３を本体カバー３１に合体させるというような両手作業をする必要がなく、片手作業で容易に蓋体カバー３３を本体カバー３１に合体させることができて、電線カバー３０をコネクタハウジング１０に本装着することができる。
【００６７】
特に、本実施形態では、ヒンジ３２を支点にして蓋体カバー３３を先に仮装着してある本体カバー３１に向けて回動させ、本体カバー３１と蓋体カバー３３を互いにロックさせることによって、本体カバー３１と蓋体カバー３３とを合体させることができ、それにより電線カバー３０をコネクタハウジング１０に容易に本装着することができ、組立作業性の向上を図ることができる。
【００６８】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６９】
例えば、上記実施形態では、ヒンジ３２により本体カバー３１と蓋体カバー３３を連結しているが、ヒンジ３２を省略して本体カバー３１と蓋体カバー３３を別体に構成してもよい。
【００７０】
また、上記実施形態では、本体カバー３１に、適正位置にないクリップ７０と干渉する未係合検出部５０を設けているが、蓋体カバー３３側に未係合検出部５０を設けてもよい。
【符号の説明】
【００７１】
１０  コネクタハウジング
１１  電線引出部
１３  カバー装着部
２０  端子
３０  電線カバー
３１  本体カバー
３２  ヒンジ
３３  蓋体カバー
４１  ロック突起（ロック部）
４３  ロックアーム（ロック部）
５０  未係合検知部
７０  クリップ
Ｗ  電線
【図１】
2013140673.tif 000003
【図２】
2013140673.tif 000004
【図３】
2013140673.tif 000005
【図４】
2013140673.tif 000006
【図５】
2013140673.tif 000007
【図６】
2013140673.tif 000008
【図７】
2013140673.tif 000009
【図８】
2013140673.tif 000010
【図９】
2013140673.tif 000011
【図１０】
2013140673.tif 000012
【図１１】
2013140673.tif 000013
【図１２】
2013140673.tif 000014
【図１３】
2013140673.tif 000015
【図１４】
2013140673.tif 000016
【図１５】
2013140673.tif 000017
【図１６】
2013140673.tif 000018
【図１７】
2013140673.tif 000019
【図１８】
2013140673.tif 000020
【図１９】
2013140673.tif 000021
【図２０】
2013140673.tif 000022